(57)【要約】【課題】  シートスルータイプの画像読取機能とブックリードタイプの画像読取機能とを持つ画像読取装置を提供する。【解決手段】  原稿がブックリード用コンタクトガラス１１ｂに固定されると、走行体４１によってゴミの検知が実行される。走行体４１によって読み取られたブックリード用コンタクトガラス１１ｂの画像情報は、記憶部６に格納される。ゴミの付着が検知されなかった場合は、画像読取部１は読取動作を停止することなく引き続き原稿の読取を行い、原稿を読み取った情報から原稿が白紙であるか否かを判定する。【選択図】  図１
2006165980.tif 000002
【特許請求の範囲】
【請求項１】
読み取った画像情報に所定の画像処理を施す画像処理手段と、原稿を読み取る露光走査ユニットが移動することにより画像を読み取る手段と、前記原稿が移動することにより前記露光走査ユニットが前記画像を読み取る手段とを有する画像読取装置において、
前記原稿が原稿台又は原稿読み取り台に配置されたことを確認する確認手段と、
前記確認手段によって前記原稿が原稿台又は読み取り台に配置されたことが確認されたとき、前記露光走査ユニットの汚れを検知する検知手段と、
前記検知手段によって前記露光走査ユニットの汚れが検知されなかったとき、基準の白画像を読み取る白画像読取手段と、
前記画像処理手段は、
前記白画像読取手段によって読み取られたデータに基いて、前記露光走査ユニットの読取画素ごとに異常を検出する検出手段と、
前記検出手段によって異常が検出されたとき、前記異常を前記データを用いて補正する異常画素補正手段と、
前記原稿が白紙原稿であるか否かの判定を行う白紙原稿判定手段と、
前記白紙原稿判定手段の判定結果が白紙原稿である場合に、以降の画像形成動作を中断する中断手段とを有することを特徴とする画像読取装置。
【請求項２】
前記検知手段によって前記露光走査ユニットの汚れが検知されたとき、警告音を発する警告音発生手段と、
操作部に前記露光走査ユニットが汚れている旨を表示する表示手段とを有することを特徴とする請求項１記載の画像読取装置。
【請求項３】
前記検知手段によって前記露光走査ユニットの汚れが検知されたとき、前記媒体の画像の読み取りを禁止する禁止手段を有することを特徴とする請求項１又は２記載の画像読取装置。
【請求項４】
白紙原稿である旨を警告する警告手段を有することを特徴とする請求項１から３のいずれか１項記載の画像読取装置。
【発明の詳細な説明】
【技術分野】
【０００１】
本発明は、画像読取装置に関し、特にシートスルータイプの画像読取機能とブックリードタイプの画像読取機能とを持つ画像読取装置に関する。
【背景技術】
【０００２】
一般に、デジタル複写機、原稿読取装置（イメージスキャナ）、及びファクシミリ装置のような装置は、主走査方向に平行に配設されたラインイメージセンサをコンタクトガラス上に置かれた原稿の読取面に対し副走査方向へ相対移動しながら、該原稿を読み取るブックリードモード、又はラインイメージセンサを移動させずに原稿を移動させて該原稿を読み取るシートスルーモードによって原稿の読み取りを行う。
【０００３】
このような画像読取装置では、装置を使用している間に光学系にゴミなどが付着し、読み取った画像が劣化する場合がある。例えば、シートスルーモードで原稿の読み取りを行った場合、原稿がコンタクトガラスに接触することによって、該コンタクトガラスにゴミが付着する。そして、コンタクトガラス上に付着したゴミは、読み取った画像に筋となって現れる。
【０００４】
コンタクトガラスなどの光学系に付着したゴミなどによる画像の輝度ムラを補正する処理として、シェーディング補正がある。シェーディングとは、画像形成装置の観測系における、カメラ光学系の周辺減光、撮像素子の感度の不均一性等によって生じる対象画像の本来の輝度と映像信号との変換特性の不整合のことである。画像の周辺部が中心部に比べて暗い輝度ムラとなって現れます。シェーディング補正は、画像全体が平均的に一様な明るさとなるように補正する。具体的には、全体が一様な輝度分布を持つ画像に対する画像処理系への入力データを用いて、全画素に対する変換特性を事前に求めておき、この変換特性に基づいて輝度を補正する。
【０００５】
例えば、特許文献１では、画像の読み取りを実行する前に、基準となる白画像を読み取り、白画像の読み取りによって得られたデータに基いてシェーディング補正を行い、ラインイメージセンサによって読み取られたデータと共にコンタクトガラスの汚れが検知された場合は、汚れを検出したことをユーザに警告し、ユーザに対して清掃を促す画像読取装置及び画像読取処理方法が提案されている。
【０００６】
また、従来の画像読取装置においては、原稿はすべて画像読取されるべきものであるとの認識に立脚して装置作りが行われていたため、白紙原稿であっても特にオペレータが当該原稿を取り除かない限り、そのまま画像形成が行われ転写紙が無駄となることがあった。
【０００７】
特に、オペレータが原稿を一枚一枚原稿台に置くことを要しないＡＤＦ（Auto Document Feeder）により原稿を給送する場合には、白紙原稿があったことが分かるのは全ての画像形成が終了してからである。また、例えば、片面に印刷された原稿を転写紙の両面に画像形成する場合は、ページ合わせのためにオペレータが意図的に挿入した白紙原稿以外の不要な白紙原稿があると、それ以降の画像形成を再度行わなければならず、時間的・経済的に無駄が大きかった。
【０００８】
そこで、特許文献２では、画像読取手段が原稿上の画像情報を光学的に読み取り、画象処理手段が画像読取手段で読み取った画像情報に所定の画像処理を施し、画像出力手段が画像処理手段で画像処理を施した画像情報を転写紙に出力し、白紙判定領域設定手段が原稿を白紙であるか否かを判定する際に使用する白紙判定領域を設定し、白紙原稿判定手段が白紙判定領域設定手段を介して設定された白紙判定領域に相当する原稿の画像情報を画像読取手段から入力し、原稿の白紙判定を行い、制御手段が、白紙原稿判定手段の判定結果が白紙原稿である場合に、画象処理手段及び画像出力手段を制御して、以降の画像形成動作を中断するため、不要な白紙原稿に対して画像形成を行わず、転写紙の無駄を省き、すべての原稿を全面読取する時間よりも短い時間で白紙原稿であるか否かを判定することができる画像形成装置が提案されている。
【０００９】
特許文献３では、読取手段によって複数の原稿の画像を光学的に読み取って得た画像データを格納する格納手段を有し、格納した画像データを読み出して画像を出力する画像形成装置において、複数の原稿の各原稿における画像の有無を判定する判定手段と、前記判定に従って画像のある原稿を識別する識別手段と、前記識別された原稿の画像を所定様式に従って可視出力する出力手段とを備えることにより、原稿中に不要な白紙が混入しても白紙のコピーを出力せずに、紙を無駄にしない画像形成装置が提案されている。
【特許文献１】特開２００１−２５７８７７号公報
【特許文献２】特開２０００−２０１２５４号公報
【特許文献３】特開平９−２６１３８３号公報
【発明の開示】
【発明が解決しようとする課題】
【００１０】
しかし、上記の発明は、以下の問題を有している。
【００１１】
特許文献１記載の画像読取装置及び画像読取処理方法は、画像の読み取りを実行する前に、基準となる白画像を読み取り、白画像の読み取り結果に基づいて、ラインイメージセンサによって検出された異常画素について補正することができるが、コンタクトガラス上の原稿が白紙であるか否かを判定することができないため、原稿中に不要な白紙が混入していた場合、白紙をコピーしてしまい、紙が無駄になる。
【００１２】
特許文献２及び３記載の画像形成装置は、コンタクトガラス上の原稿が白紙であるか否かを判定し、原稿中に不要な白紙が混入していた場合、該白紙のコピーを出力しないことにより、紙の無駄を防止しているが、画像読取手段で読み取った画像にデータと共にコンタクトガラスの汚れを検知する画像処理手段と、コンタクトガラス上の原稿が白紙であるか否かを判定する判定手段とが別個に設けられているため、画像形成装置のシステム構成が複雑となる。また、原稿が白紙であるか否かを判定手段を設けることは、画像形成装置の高額化につながる。
【００１３】
そこで、本発明は、原稿の読取動作を開始する前にコンタクトガラスに付着したゴミを検知するゴミ検知、及びコンタクトガラス上の原稿が白紙であるか否かの判定を画像処理手段により行う画像読取装置を提案することを目的としている。
【課題を解決するための手段】
【００１４】
請求項１記載の発明は、読み取った画像情報に所定の画像処理を施す画像処理手段と、原稿を読み取る露光走査ユニットが移動することにより画像を読み取る手段と、前記原稿が移動することにより前記露光走査ユニットが前記画像を読み取る読取手段とを有する画像読取装置において、前記原稿が原稿台又は原稿読み取り台に配置されたことを確認する確認手段と、前記確認手段によって前記原稿が原稿台又は読み取り台に配置されたことが確認されたとき、前記露光走査ユニットの汚れを検知する検知手段と、前記検知手段によって前記露光走査ユニットの汚れが検知されなかったとき、基準の白画像を読み取る白画像読取手段と、前記画像処理手段は、前記白画像読取手段によって読み取られたデータに基いて、前記露光走査ユニットの読取画素ごとに異常を検出する検出手段と、前記検出手段によって異常が検出されたとき、前記異常を前記データを用いて補正する異常画素補正手段と、前記原稿が白紙原稿であるか否かの判定を行う白紙原稿判定手段と、前記白紙原稿判定手段の判定結果が白紙原稿である場合に、以降の画像形成動作を中断する中断手段とを有することを特徴とする。
【００１５】
請求項２記載の発明は、請求項１記載の画像読取装置において、前記検知手段によって前記露光走査ユニットの汚れが検知されたとき、警告音を発する警告音発生手段と、操作部に前記露光走査ユニットが汚れている旨を表示する表示手段とを有することを特徴とする。
【００１６】
請求項３記載の発明は、請求項１又は２記載の画像読取装置において、前記検知手段によって前記露光走査ユニットの汚れが検知されたとき、前記媒体の画像の読み取りを禁止する禁止手段を有することを特徴とする。
【００１７】
請求項４記載の発明は、請求項１から３のいずれか１項記載の画像読取装置において、白紙原稿である旨を警告する警告手段を有することを特徴とする。
【発明の効果】
【００１８】
本発明は、原稿の読取動作を開始する前にコンタクトガラスに付着したゴミを検知するゴミ検知、及びコンタクトガラス上の原稿が白紙であるか否かの判定を画像処理手段により行うことにより、画像形成装置のシステム構成の複雑化、及び画像形成装置の高額化を防止することができる。
【発明を実施するための最良の形態】
【００１９】
以下に本発明の実施形態に係る画像形成装置について説明する。なお、本発明は、画像読取装置に関するものであるが、本実施形態においては、該画像読取装置を有する画像形成装置について説明する。
【００２０】
まず、図１を用い本実施形態に係る画像形成装置の読み取り動作、画像形成動作について説明する。
【００２１】
本実施形態に関る画像形成装置は、画像読取部１、画像形成部２、ＦＡＸ部３、Ｉ／Ｆ部４、セレクタ部５、記憶部６、システム制御部７、及び操作部８を有している。また、画像読取部１は、ブックリード用コンタクトガラス１１ｂ、ＩＰＵ１２、露光ランプ１３、反射ミラー１４、ＣＣＤ１５、及びスキャナ制御部１６を有している。さらに、画像形成部２は、書込部２１、プロッタ制御部２２、現像装置２３、帯電チャージャ２４、除電チャージャ２５、クリーニング部２６、分離チャージャ２７、転写チャージャ２８、レジストローラ２９、給紙コロ３０、給紙トレイ３１、定着装置３２、排紙コロ３３、及び排紙トレイ３４を有している。
【００２２】
画像読取部１は、コンタクトガラス１１ｂに載置された原稿を可動な露光ランプ１３によって露光し、その反射光を反射ミラー１４によってＣＣＤ（イメージセンサー）１５に入射する。ＣＣＤ１５では、入射された反射光を光電変換し、その光の強弱に応じた電気信号とする。ＩＰＵ（イメージプロセッシングユニット）１２は、その電気信号にシェーディング補正等の処理、８ビットのデジタル信号へのＡ／Ｄ変換処理、変倍処理、及びディザ処理等の画像処理を施し、同期信号と共に画像信号を画像形成部２に送る。スキャナ制御部１６は、以上のプロセスを実行するために、各種センサ、駆動モータ等の制御を行う。また、ＩＰＵ１２に各種パラメータの設定等も行う。
【００２３】
画像形成部２では、帯電チャージャ２４によって一様に帯電され、一定の速度で回転する感光体３５を書込部２１からの画像データによって変調されたレーザー光により露光する。感光体３５には、静電潜像が形成され、静電潜像を現像装置２３によりトナーで現像することにより顕像化したトナー像を形成する。そして、予め給紙コロ３０によって給紙トレイ３１から搬送され、レジストローラ２９で待機していた転写紙を感光体３５とタイミングを図って搬送し、転写チャージャ２８によって感光体３５上のトナーを転写紙に静電転写し、分離チャージャ２７によって転写紙を感光体３５から分離する。その後、トナーが静電転写された転写紙は、定着装置３２に搬送され、トナーが加熱定着される。定着装置３２においてトナーが定着された転写紙は、排紙ローラ３３により排紙トレイ３４に排紙する。一方、転写紙への静電転写後、感光体３５に残留したトナーは、クリーニング装置２６によって除去される。最後に、感光体３５は、除電チャージャ２４により除電され、次に画像形成動作に備えて待機する。プロッタ制御部２２は、以上のプロセスを実行するために、各種センサ、駆動モータ等の制御を行う。
【００２４】
記憶部６は、通常はＩＰＵ１２から入力される原稿の画像データを記憶する。記憶された画像データは、リピートコピー、回転コピー等の複写アプリケーションに使用される。また、ＦＡＸ部３からの２値の画像データを一時記憶するバッファメモリとしても使用される。さらに、入出力装置の固有情報を記憶する手段としても使用される。これらデータの記憶の指示は、システム制御部７によってなされる。
【００２５】
次に、ＩＰＵ１２の構成及び動作について図２を用いて説明する。
【００２６】
ＩＰＵ１２に伝達された画像信号は、ＭＴＦ補正回路５０１で高域強調され、変倍回路５０２で電気変倍されγ変換回路５０３に伝達される。γ変換回路５０３は、画像形成装置の入出力特性に合った画像信号に変換する。γ変換回路５０３から出力された画像信号は、データ深さ切替機構５０４のスイッチ（ＳＷ）で所定の量子化レベルに変換される。
【００２７】
このデータ深さ切替機構５０４は、ＩＰＵ１２の出力データとして３タイプのデータ深さに切り替える働きをする。図３は、データ切替機構５０４が切り替える３タイプの出力データを表す図である。図３において４ｂｉｔ化回路では４ｂｉｔデータが出力され、２値化回路では入力される８ｂｉｔの多値データを予め設定された固定しきい値によって２値データに変換し１ｂｉｔデータを出力する。ディザ回路は１ｂｉｔデータで面積階調を作り出す。スイッチ（ＳＷ）は３つのデータタイプの一つを選択しＤＡＴＡ０からＤＡＴＡ７を出力する。
【００２８】
図４に示した本実施形態に係る画像読取部１は、走行体４１をシートスルー読み取り位置Ｐ１に固定して原稿台に設置された原稿を移動させることで画像を読み取るシートスルーモード、及びブックリード用コンタクトガラス１１ｂ上の移動しない原稿の下を走行体３１が低速で移動することで原稿を読み取るブックリードモードで画像を読み取ることができる。
【００２９】
ブックリードモードでは、走行体４１がブックリード用コンタクトガラス１１の下を移動する途中に白基準板読取位置Ｐ２に達したときに、白基準板４３を読み取り、ＩＰＵ１２は読み取ったデータに基いて読み取った画像データにシェーディング補正を施す。一方、シートスルーモードでは、原稿が読取位置を通過する前に走行体４１を白基準板読取位置Ｐ２に移動させ、白基準板４３を読み取り、ＩＰＵ１２は読み取ったデータに基いて読み取った画像データにシェーディング補正を施す。なお、白基準板４３を読み取った走行体３１は、シートスルー読取位置Ｐ１に戻り（以下、この走行体４１の一連の動作をＤＦシェーディング動作とする）、シートスルー用コンタクトガラス１１ａを通過する原稿を読み取る。
【００３０】
一般的に、ブックリードモードとシートスルーモードとで同じ白基準板４３を用いてシェーディング補正を行うことで、ブックリードモードとシートスルーモードのどちらで画像の読み取りを行っても画質に差が生じないようにしている。なお、シートスルーモードで読み取りを行なわれているときに次の原稿の読み取りが要求された場合、原稿の読み取りが終了した直後に、次の原稿を読み取るためのＤＦシェーディング動作が実行される。原稿台２上に設置された複数の原稿を連続して読み取る場合は、２枚目以降の原稿の読み取りがコントローラ部から要求されたときに、直前の原稿読み取り動作終了後に行なわれたＤＦシェーディング動作によって得られたデータを利用してシェーディング補正が行なわれる。さらに、シートスルーモードにおいては、ＤＦシェーディング動作終了後、ゴミ検知基準４４の読み取りを行い、シートスルー用コンタクトガラスにゴミや汚れが付着していることを検知することができる。
【００３１】
シートスルーモードにおける原稿の移動に関しては、一般的に転写紙のサイズを選択するため、まず給紙ローラによって原稿を読み取り位置まで移動し（以下、給紙動作とする）、その後、読み取りが可能なタイミングで読み取りのための原稿の移動が行なわれる（以下、シートスルー動作とする）。シートスルー動作後、原稿は原稿回収台へ排出される。なお、シートスルーモードの場合、読み取り効率を上げるため、読み取り原稿の変倍率などが変更されない場合は、直前の原稿が排紙される間に次の給紙動作が行なわれるのが一般的である。
【００３２】
先に述べたようにシートスルーモードでは、原稿が読取位置を通過する前にＤＦシェーディング動作及びゴミの検知を行うことでシェーディング補正を行っている。ブックリードモードでは、画像読取動作の途中に白基準板４３を読み取ることでシェーディング補正が行なわれる。しかし、本実施形態に係る画像形成装置においては、原稿がブックリード用コンタクトガラス１１ｂに設置されたとき又は原稿が圧板（原稿をブックリード用コンタクトガラス１１ｂに固定するもの）によって固定されたときに、白基準板４３の読み取り及びゴミ検知が行なわれる。
【００３３】
ここで、上述のブックリード用コンタクトガラス１１ａ又はシートスルー用コンタクトガラス１１ａにセットされた白紙を検知する処理について説明する。なお、白紙の検出処理は、ＩＰＵ１２において実行される。
【００３４】
次に、本実施形態に係る画像形成装置の動作の説明をする。図５は、画像形成装置の基本動作を表すフローチャートである。まず、オペレータが画像形成装置の主電源スイッチをＯＮにする（ステップＳ５００１）。主電源がＯＮにされると画像形成装置は、ヒートローラの昇温、帯電チャージャへの通電等の初期設定を行う（ステップＳ５００２）。初期設定が終わると、画像形成装置は通常モードに移行する（ステップＳ５００３）。この通常モードは待機および画像形成動作を行うモードである。
【００３５】
図６は、ステップＳ５００３の通常モード（待機および画像形成動作）を表すフローチャートである。コピースタートキーが押されると（ステップＳ６０１）、画像読取部１は、上述のゴミ検知処理を実行する（ステップＳ６０２）。ゴミ検知処理が完了すると（ステップＳ６０３）、画像読取部４０１が原稿の画像情報の読取を開始する（ステップＳ６０４）。
【００３６】
画像読取部１が白紙判定領域に相当する画像情報を読み取った時点で（ステップＳ６０４）、ＩＰＵ１２は原稿が白紙であるか否かの判定を行う（ステップＳ６０５）。
【００３７】
原稿が白紙であるか否かの判定は、例えばデータ深さ切替機構５０４における２値化回路およびシステム制御部２００を用いることが出来る。すなわち画像読取部１が読み取った画像情報を順次記憶部６に格納し、この画像情報のうち判定領域に相当する画像情報を２値化回路に通過させ、９８％以上の信号が値０であれば原稿を白紙と判定することにより白紙原稿か否かを判定出来る。但し値０は画像情報なしと、値１は画像情報ありと定義付けられているとする。尚、２％の信号はシートスルー用コンタクトガラス１１ａ及びブックリード用コンタクトガラス１１ｂ上のゴミ若しくは電気的ノイズを考慮した値である。
【００３８】
また白紙判定領域は、オペレータが検知時間の短縮、詳細検知、全面検知などの目的に応じて自由に設定出来る値とする。例えば、ワープロ原稿は上下マージンが３〜４ｃｍ程度であるので、この様な原稿をコピーする場合には、白紙原稿判定領域は原稿頭５ｃｍと設定することにより原稿全面を検知するより検知時間の短縮が図られる。また、ヘッダ（若しくはフッダ）を含む原稿に対しては当該位置に対応した白紙判定領域を設定することにより、ヘッダ（若しくはフッダ）以降が白紙であっても必要な原稿であると判定され、誤検知が防止される。
【００３９】
上記の例では白紙原稿判定領域を絶対値で設定したが、例えば、図示しない原稿サイズ検知センサが検知した原稿サイズの１／３という相対的な領域として設定することも可能である。尚、白紙判定領域はＲＯＭなどに格納されている固定値を用いることも出来る。
【００４０】
ステップＳ６０５で画像情報があると判定された場合には画像読取部１は読取動作を停止することなく引き続き原稿の読取を行い（ステップＳ６０６）、画像処理、画像出力動作等の以降の画像形成動作を行う（ステップＳ６０７）。
【００４１】
一方ステップＳ６０５において、画像情報がないと判定された場合には、画像画像形成動作を中断し、オペレータに対し当該原稿が白紙であるとの警告を行う（ステップＳ６０８）。この警告は操作部８への表示若しくは音による通知という態様で行われる。
【００４２】
警告が行われた場合にはオペレータは原稿を確認し、不要な白紙原稿であればこれを取り除き、再びスタートキーを押し画像形成動作を続行することが出来る。一方、ページあわせの為に挿入してある必要な白紙原稿であることが予め分かっている場合等には、そのままスタートキーを押すことによって当該原稿を含め以降の画像形成動作を行うことが出来る。
【００４３】
尚、画像形成装置のように画像読取動作が速く当該原稿についてすべての画像情報が記憶部６に格納されている場合には、スタートキーが押された後に、当該格納された画像情報をもとに画像処理および画像出力動作を行えばよい。一方、スキャナ機能付きプリンタの様に画像読取動作が遅い場合にはステップＳ６０５において原稿が白紙であると判定された際に当該読取位置でスキャナを一時停止させておき、再びスタートキーが押された場合には当該位置から画像読取動作を再開すれば、原稿頭から画像読取動作を再開するより時間短縮が図られる。
【００４４】
この白紙原稿の検知動作により転写紙を無駄にすることなくコピー動作を行うことが出来る。また、白紙原稿の検知は記憶部６に格納された画像情報から判定されるので、別途センサなどを設けて白紙を検出する複写機よりも安価な装置を提供出来る。またオペレータが白紙判定領域を設定することにより、すべての原稿に対し全面読取を行う場合よりも迅速に白紙原稿を判定出来る。すなわち、オペレータが自由に白紙判定領域を設定することが出来るので、固定された白紙原稿判定領域を用いるよりも、コピーする原稿に対応した速やかな白紙判定が可能となる。
次に、図６のステップＳ６０２におけるゴミ検知処理の具体的な手順について、図７及び８を用いて説明する。
【００４５】
まず、ブックリードモードによって画像読取動作が行なわれる場合について説明する。原稿がブックリード用コンタクトガラス１１ｂに固定されると（ステップＳ７００）、走行体４１によってゴミの検知が実行される（ステップＳ７０１）。走行体４１によって読み取られたブックリード用コンタクトガラス１１ｂの画像情報は、記憶部６に格納される。
【００４６】
ブックリード用コンタクトガラス１１ｂにゴミが付着している否かの判定は、例えばデータ深さ切替機構５０４における２値化回路およびシステム制御部２００を用いることが出来る。すなわち画像読取部１が読み取った画像情報を順次記憶部６に格納し、この画像情報のうち判定領域に相当する画像情報を２値化回路に通過させ、９８％以上の信号が値０であればコンタクトガラス１１ｂにゴミが付着していないと判定することにより、ゴミの付着を検知する。但し値０は画像情報なしと、値１は画像情報ありと定義付けられているとする。尚、２％の信号はシートスルー用コンタクトガラス１１ａ及びブックリード用コンタクトガラス１１ｂ上のゴミ若しくは電気的ノイズを考慮した値である。
【００４７】
ステップＳ７０１でゴミの付着が検知されなかった場合は（ステップＳ７０１／ＮＯ）、画像読取部１は読取動作を停止することなく引き続き原稿の読取を行い（ステップＳ７０２）、画像処理、画像出力動作等の以降の画像形成動作を行う（ステップＳ７０３）。
【００４８】
一方ステップＳ７０１において、ゴミが付着していると判断された場合には（ステップＳ７０１／ＹＥＳ）、画像画像形成動作を中断し、オペレータに対しゴミが付着しているとの警告を行う（ステップＳ７０４）。この警告は操作部８への表示若しくは音による通知という態様で行われる。
【００４９】
警告が行われた場合にはオペレータは原稿を確認し、ゴミを取り除き、再びスタートキーを押し画像形成動作を続行することが出来る。
【００５０】
まず、ブックリードモードによって画像読取動作が行なわれる場合について説明する。原稿が原稿台に固定されると（ステップＳ８００）、走行体４１によってシートスルー用コンタクトレンズ１１ａに付着するゴミの検知が実行される（ステップＳ８０１）。走行体４１によって読み取られたシートスルー用コンタクトガラス１１ａの画像情報は、記憶部６に格納される。
【００５１】
ブックリード用コンタクトガラス１１ａにゴミが付着している否かの判定は、例えばデータ深さ切替機構５０４における２値化回路およびシステム制御部２００を用いることが出来る。すなわち画像読取部１が読み取った画像情報を順次記憶部６に格納し、この画像情報のうち判定領域に相当する画像情報を２値化回路に通過させ、９８％以上の信号が値０であればコンタクトガラス１１ｂにゴミが付着していないと判定することにより、ゴミの付着を検知する。但し値０は画像情報なしと、値１は画像情報ありと定義付けられているとする。尚、２％の信号はシートスルー用コンタクトガラス１１ａ及びブックリード用コンタクトガラス１１ｂ上のゴミ若しくは電気的ノイズを考慮した値である。
【００５２】
ステップＳ８０１でゴミの付着が検知されなかった場合は（ステップＳ８０１／ＮＯ）、画像読取部１は読取動作を停止することなく引き続き原稿の読取を行い（ステップＳ８０２）、画像処理、画像出力動作等の以降の画像形成動作を行う（ステップＳ８０３）。
【００５３】
一方ステップＳ８０１において、画像情報がないと判定された場合には（ステップＳ８０１／ＹＥＳ）、画像画像形成動作を中断し、オペレータに対し当該原稿が白紙であるとの警告を行う（ステップＳ８０４）。この警告は操作部８への表示若しくは音による通知という態様で行われる。
【００５４】
警告が行われた場合にはオペレータは原稿を確認し、ゴミを取り除き、再びスタートキーを押し画像形成動作を続行することが出来る。
【図面の簡単な説明】
【００５５】
【図１】本発明の実施形態に係る画像形成装置の概略図である。
【図２】ＩＰＵの電気信号の流れを示すブロック図である
【図３】データ切替機構が切り替える３タイプの出力データを表す図である。
【図４】画像読取部の詳細な図である。
【図５】画像形成装置を起動させる際のフローチャートである。
【図６】画像形成動作の手順を示すフローチャートである。
【図７】シートスルーモードによるゴミ検知処理のフローチャートである。
【図８】ブックリードモードによるゴミ検知処理のフローチャートである。
【符号の説明】
【００５６】
１    画像読取部
２    画像形成部
３    ＦＡＸ部
４    Ｉ／Ｆ部
５    セレクタ部
６    記憶部
７    システム制御部
８    操作部
【図１】
2006165980.tif 000003
【図２】
2006165980.tif 000004
【図３】
2006165980.tif 000005
【図４】
2006165980.tif 000006
【図５】
2006165980.tif 000007
【図６】
2006165980.tif 000008
【図７】
2006165980.tif 000009
【図８】
2006165980.tif 000010